【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  押し出し機と、密閉可能なチャンバと、前記チャンバの内部と前記チャンバの前記押し出し機に連結された一端とで、押し出し物を形成するダイと、前記チャンバの他端に設けられ、前記押し出し物が通過して大気中に出るための水中オリフィスを含む、水バッフルシールと、前記押し出し物のパラメータを測定して前記オリフィスのサイズを制御する手段とを含むことを特徴とする押し出しシステム。
【請求項２】  請求項１に記載の押し出しシステムにおいて、前記オリフィスが長方形であると同様、前記押し出し物がほぼ長方形であり、前記押し出し物の各端の位置を検知して該オリフィスの縁を調節する手段を含むことを特徴とする押し出しシステム。
【請求項３】  請求項２に記載の押し出しシステムであって、前記押し出し物の厚みを測定して前記オリフィスの鉛直な開口を調節する手段を含むことを特徴とする押し出しシステム。
【請求項４】  請求項３に記載の押し出しシステムにおいて、前記オリフィスの頂部が固定されており、前記押し出し物の厚みを測定する前記手段が前記オリフィスの底縁を調節することを特徴とする押し出しシステム。
【請求項５】  請求項４に記載の押し出しシステムにおいて、前記オリフィスの頂縁が固定されており、前記押し出し物がオリフィスを通過するように前記押し出し物を指向させる案内手段が前記頂縁に実質的に連続していることを特徴とする押し出しシステム。
【請求項６】  請求項５に記載の押し出しシステムにおいて、前記押し出し物が浮力で浮く性質をもっており、前記案内手段が前記押し出し物の鉛直方向の移動を制限する一組のローラであることを特徴とする押し出しシステム。
【請求項７】  請求項６に記載の押し出しシステムにおいて、前記ローラの組が、離間された大きなロールとそれらの間に近接させた小さいロールとを有することを特徴とする押し出しシステム。
【請求項８】  請求項７に記載の押し出しシステムであって、システム始動時に前記大きい方のロールを駆動する駆動手段を有することを特徴とする押し出しシステム。
【請求項９】  請求項８に記載の押し出しシステムであって、システム始動後に前記駆動手段との連結を解除して前記ロールの組のすべてのロールをアイドルロールとすることを特徴とする押し出しシステム。
【請求項１０】  請求項６に記載の押し出しシステムにおいて、前記オリフィスの可動な底縁が、底縁と合致する大きさをもつローラの組を有することを特徴とする押し出しシステム。
【請求項１１】  請求項６に記載の押し出しシステムであって、前記ローラの組の上流の前記押し出し物上方に設けたプラテンと、前記プラテンがある位置で前記押し出し物の厚みを測定する手段とを有することを特徴とする押し出しシステム。
【請求項１２】  請求項１１に記載の押し出しシステムであって、前記プラテンのある位置で弾発付勢されて前記押し出し物の底に当接することにより前記押し出し物の厚みを測定する、回動可能な横向きの検知ロールを有することを特徴とする押し出しシステム。
【請求項１３】  請求項１２に記載の押し出しシステムであって、前記押し出し物の各縁に係合して各縁の位置を検知することにより前記押し出し物の幅を測定する、縁係合式検知ローラを有することを特徴とする押し出しシステム。
【請求項１４】  請求項１３に記載の押し出しシステムにおいて、前記検知ロールがそれぞれ揺動アームに取り付けられており、各揺動アームのピボットに設けた手段が各検知ローラの位置を決定することを特徴とする押し出しシステム。
【請求項１５】  請求項１４に記載の押し出しシステムにおいて、前記手段がフィードバック信号を発生する回転エンコーダを有することを特徴とする押し出しシステム。
【請求項１６】  請求項１５に記載の押し出しシステムであって、前記フィードバック信号により各々に作動される動作コントローラを有することを特徴とする押し出しシステム。
【請求項１７】  請求項１６に記載の押し出しシステムであって、前記オリフィスの各横縁及び底を形成するゲートを移動させるために、各々の動作コントローラによって作動される逆回転可能なモーターを有することを特徴とする押し出しシステム。
【請求項１８】  請求項１７に記載の押し出しシステムにおいて、前記横縁を形成する前記ゲートが傾斜したトラック上に設けられていることを特徴とする押し出しシステム。
【請求項１９】  請求項１８に記載の押し出しシステムにおいて、前記トラックが前記ゲートの前記縁に対して約３０°から約４５°で延びることを特徴とする押し出しシステム。
【請求項２０】  請求項１９に記載の押し出しシステムであって、前記ゲートを前記トラックに沿って移動させる駆動スクリューを有することを特徴とする押し出しシステム。
【請求項２１】  請求項１に記載の押し出しシステムであって、前記水バッフルシールを越えた位置に、前記オリフィスを通して前記押し出し物を引っ張る牽引手段を有することを特徴とする押し出しシステム。
【請求項２２】  請求項２１に記載の押し出しシステムにおいて、前記牽引手段が真空テーブルであることを特徴とする押し出しシステム。
【請求項２３】  密閉式チャンバ内でダイを通して発泡メルトを押し出すステップと、前記チャンバ内で前記押し出し物を成形し検定するステップと、水バッフルシール中に水没させた調節可能なオリフィスを通して前記チャンバから前記押し出し物を連続的に引き出すステップと、前記オリフィスの上流で前記押し出し物のパラメータを自動的に検知し、前記オリフィスの形状を制御するステップとを含むことを特徴とする押し出し方法。
【請求項２４】  請求項２３に記載の押し出し方法において、前記オリフィスは形状がほぼ長方形であり、前記底縁及び横縁を移動させることによって形状変更することを特徴とする押し出し方法。
【請求項２５】  請求項２４に記載の押し出し方法において、前記オリフィスの頂縁が固定されており、その頂縁が前記押し出し物に係合して押し出し物を前記頂縁に向けて案内することを特徴とする押し出し方法。
【請求項２６】  請求項２５に記載の押し出し方法であって、前記オリフィスの上流で前記押し出し物の縁位置を検知するステップと、 検知結果に相応して前記オリフィスの横縁を移動させるステップとを含むことを特徴とする押し出し方法。
【請求項２７】  請求項２６に記載の押し出し方法であって、前記オリフィスの上流で前記押し出し物の厚みを検知するステップと、検知結果に基づいて前記オリフィスの底を移動させるステップとを含むことを特徴とする押し出し方法。
【請求項２８】  請求項２６に記載の押し出し方法であって、前記横縁を、傾斜した経路上で移動させて横位置を得るステップを含むことを特徴とする押し出し方法。
【請求項２９】  請求項２７に記載の押し出し方法であって、前記オリフィスの位置にある前記押し出し物の頂部及び底部を案内するステップを含み、頂部の案内装置がオリフィスの頂縁と整合されて固定されており、底部案内装置が前記底部縁とともに移動することを特徴とする押し出し方法。
【請求項３０】  請求項２８に記載の押し出し方法であって、前記水バッフルシールの水面下に延びる傾斜したトラックに各横縁を取り付けるステップと、前記水面の上方にあって前記横縁を相応に移動させる動力手段とを含むことを特徴とする押し出し方法。
【請求項３１】  請求項３０に記載の押し出し方法において、前記トラックが前記オリフィスの両側に対称に延びていることを特徴とする押し出し方法。
【請求項３２】  請求項３１に記載の押し出し方法において、前記トラックが約３０°から４５°で傾斜していることを特徴とする押し出し方法。
【請求項３３】  請求項２３に記載の押し出し方法において、前記チャンバが真空チャンバであり、前記ダイが、前記真空チャンバ内で膨張する連続的な製品を製造することを特徴とする押し出し方法。
【請求項３４】  請求項３３に記載の押し出し方法であって、前記連続的な製品を前記オリフィス中に案内するステップを、前記案内ステップの直ぐ上流に含むことを特徴とする押し出し方法。
【請求項３５】  請求項３４に記載の押し出し方法であって、前記製品の幾何学的パラメータを検知するステップを、前記案内ステップの直ぐ上流に含むことを特徴とする押し出し方法。
【請求項３６】  請求項３３に記載の押し出し方法であって、当該製品が前記パラメータを検知するステップから前記オリフィスまで移動する際に当該製品に生じるいかなる変化をも受容するステップを含むことを特徴とする押し出し方法。
【請求項３７】  押し出し機と、密閉式チャンバと、前記チャンバの内部と前記チャンバの前記押し出し機に連結された一端とで、押し出し物を形成するダイと、前記チャンバの他端に設けられ、かつ前記押し出し物が通過して大気中に出るための水中オリフィスを有する、水バッフルシールと、前記押し出し物のパラメータを測定して前記オリフィスのサイズを制御する手段と、前記オリフィスの上流にあってシステム始動時に前記押し出し物を前記オリフィスに送ってこのオリフィスを通過させるが、システムの連続運転中は回転自由になる案内手段とを有することを特徴とする押し出しシステム。
【請求項３８】  請求項３７に記載の押し出しシステムにおいて、動力で駆動されて押し出し物に係合するロールを前記案内手段が有し、システムの動作中は前記ロールが駆動解除されて回転自由になることを特徴とする押し出し方法。
【請求項３９】  請求項３８に記載の押し出しシステムにおいて、前記駆動ロールが押し出し物の軸線方向に離間されており、一連のやや小さなアイドルローラが、前記離間された空間を占めることを特徴とする押し出し方法。